(57)【特許請求の範囲】
【請求項１】
屋根、壁、床の平面配置は、予め設定された基準単位長さ毎に縦横に引かれたグリッド線に従って決定され、かつ、壁が主に矩形状の壁パネルから構成される建築物を設計する際に、設計すべき壁に壁パネルを割り付けるための設計支援装置であって、
予め決定された上記建築物の部屋の配置に基づいて、部屋の外周線を、壁の平面配置を示すとともに壁パネルの平面上の割付範囲を示す壁線として設定する壁線設定手段と、
上記壁線を壁線の角部及び交点で分割する壁線分割手段と、
予め決定された屋根及び床の配置に基づいて、分割された各壁線上に配置すべき壁の下辺及び上辺の位置を決定し、上記各壁線上に配置すべき壁の下辺及び上辺の位置に基づいて、各壁線毎に上記壁パネルを割り付けるべき壁領域を設定する壁領域設定手段と、
予め決定された窓、出入口等の壁に形成される開口部の配置に基づいて、上記壁領域内に上記開口部に対応する開口領域を設定し、該開口領域上に開口領域上の荷重を受ける部材が配置される小壁領域を設定する開口周囲領域設定手段とを具備してなり、
上記開口周囲領域設定手段は、上記壁領域が内壁の壁領域の場合に、開口領域上に開口領域の左右側縁と同じ位置に左右側縁を有する小壁領域を設定し、設定された小壁領域の左右側縁が上記壁領域に直交するグリッド線の位置に一致しなければ、小壁領域の左右側縁を上記グリッド線と一致するまで外側に移動し、
小壁領域の左右側縁を移動した場合に上記開口領域の左右に上記小壁領域の左右側縁までの開口調整領域を設定し、
上記壁領域が外壁の壁領域の場合に、開口領域の左右に所定幅の開口調整領域を設定し、左右の開口調整領域の外側の側縁の位置が上記壁領域に直交するグリッド線の位置に一致しなければ、開口調整領域の外側の側縁を上記グリッド線と一致するまで外側に移動し、
上記各壁領域において、上記小壁領域が設定されている場合に、上記小壁領域に開口領域上の荷重を支持する梁状部材を割り付け、上記開口調整領域が設定されている場合に、上記開口調整領域に上記梁状部材の左右両端部を支持する支持部材を割り付け、次いで、小壁領域、開口領域及び開口調整領域を除く壁領域に壁パネルを割り付けることを特徴とする設計支援装置。
【請求項２】
上記壁領域設定手段は、上記配置すべき壁の下辺及び上辺の位置に基づいて、各壁線毎に上記壁パネルを割り付けるべき壁領域を設定し、かつ、上記下辺及び上辺の形状に基づいて壁領域を分割することを特徴とする請求項１に記載の設計支援装置。
【請求項３】
上記開口周囲領域設定手段は、上記開口領域の下に、上記開口領域の左右側縁位置に対応した左右側縁位置を有する腰壁領域を設定し、
上記小壁領域に上記梁状部材を割り付けるとともに、上記開口調整領域に上記支持部材を割り付け、かつ、上記腰壁領域に上記開口調整領域に配置された支持部材下端を支持する腰壁部材を割り付け、次いで、上記開口領域、小壁領域、開口調整領域及び腰壁領域を除く壁領域に壁パネルを割り付けることを特徴とする請求項２または３に記載の設計支援装置。
【発明の詳細な説明】
【０００１】
【産業上の利用分野】
本発明は、主に耐力壁によって強度を保たれ、壁が壁パネルから構成される建築物を設計する際に、壁に壁パネルを割り付けるための設計支援装置に関する。
【０００２】
【従来の技術】
近年、住宅の設計においても設計支援装置としてのＣＡＤ（ｃｏｍｐｕｔｅｒ  ａｉｄｅｄ  ｄｅｓｉｇｎ）  システムが用いられるようになった。
従来の住宅設計用のＣＡＤ  システムにおいては、オペレータの指示のもとに、住宅の設計をアシストすることができ、住宅の設計の省力化を図ることができた。特に、設計された住宅を様々な図面として出力することができ、図面の製作等において、大きく省力化を図ることができた。
【０００３】
【発明が解決しようとする課題】
ところで、住宅の設計においては、住宅の強度を保つために柱や梁や耐力壁等の躯体の強度を設計時に確保する必要があり、これら躯体の強度や配置を設定する必要がある。
また、住宅には、例えば、床、壁、屋根等が床パネルや壁パネルや屋根パネル等のパネルから構成されるパネル工法によって構築されるものがある。
【０００４】
上記パネル工法においては、柱や梁があまり用いられずに、主に上記各パネルにより住宅の強度を保つようになっている。
従って、上記パネル工法からなる住宅を設計する際には、住宅の強度を保つように壁等の配置を決める必要があるとともに、配置された壁に壁パネルを割り付けていく必要がある。
【０００５】
しかし、従来の一般的な住宅用のＣＡＤ  システムにおいては、必ずしもパネル工法に対応したものではなく、パネルの割り付けを行う機能が付加されていなかった。
また、ＣＡＤ  システム上において、パネルの割り付けを可能としても、単に、設計された壁に所定の形状の壁パネルを割り付けただけでは、所定の強度を有する壁パネルの組み合わせから得られる最も高い強度を得られるとは限らなかった。
【０００６】
また、壁においては、窓、ドア等の開口部が形成されるとともに、開口部上には、開口部上の荷重を支持する梁状の部材（小壁、マグサ等の開口部上に差し渡される部材）を配置する必要があるとともに、上記梁状の部材が充分な強度を有する必要があるが、壁の開口部を除く部分に単に壁パネルを配置したのでは、上記開口部上に割り付けられる部材が充分な強度を有するかどうかを判定したり、最適な部材を配置することが困難であった。
【０００７】
また、単に、壁に所定の形状の壁パネルを割り付けただけでは、施工性の面で問題がでる可能性があり、最悪の場合には、建築現場で壁パネルの割り付けを変更しなければ、実際に施工できない可能性もある。
【０００８】
本発明は、上記事情に鑑みてなされたものであり、パネル工法により構築される住宅を設計するに際し、壁に壁パネルを割り付ける前に、壁を壁パネルの割り付けに最適な状態となるように複数の領域に分割するとともに、壁の開口部においても充分な強度を確保できるように壁の開口部周囲に壁パネル等の部材の割り付けを案内する領域を設定することができる設計支援装置を提供することを目的とするものである。
【０００９】
【課題を解決するための手段】
本発明の上記請求項１記載の設計支援装置は、屋根、壁、床の平面配置は、予め設定された基準単位長さ毎に縦横に引かれたグリッド線に従って決定され、かつ、壁が主に矩形状の壁パネルから構成される建築物を設計する際に、設計すべき壁に壁パネルを割り付けるための設計支援装置であって、
予め決定された上記建築物の部屋の配置に基づいて、部屋の外周線を、壁の平面配置を示すとともに壁パネルの平面上の割付範囲を示す壁線として設定する壁線設定手段と、
上記壁線を壁線の角部及び交点で分割する壁線分割手段と、
予め決定された屋根及び床の配置に基づいて、分割された各壁線上に配置すべき壁の下辺及び上辺の位置を決定し、上記各壁線上に配置すべき壁の下辺及び上辺の位置に基づいて、各壁線毎に上記壁パネルを割り付けるべき壁領域を設定する壁領域設定手段と、
予め決定された窓、出入口等の壁に形成される開口部の配置に基づいて、上記壁領域内に上記開口部に対応する開口領域を設定し、該開口領域上に開口領域上の荷重を受ける部材が配置される小壁領域を設定する開口周囲領域設定手段とを具備してなり、
上記開口周囲領域設定手段は、上記壁領域が内壁の壁領域の場合に、開口領域上に開口領域の左右側縁と同じ位置に左右側縁を有する小壁領域を設定し、設定された小壁領域の左右側縁が上記壁領域に直交するグリッド線の位置に一致しなければ、小壁領域の左右側縁を上記グリッド線と一致するまで外側に移動し、
小壁領域の左右側縁を移動した場合に上記開口領域の左右に上記小壁領域の左右側縁までの開口調整領域を設定し、
上記壁領域が外壁の壁領域の場合に、開口領域の左右に所定幅の開口調整領域を設定し、左右の開口調整領域の外側の側縁の位置が上記壁領域に直交するグリッド線の位置に一致しなければ、開口調整領域の外側の側縁を上記グリッド線と一致するまで外側に移動し、
上記各壁領域において、上記小壁領域が設定されている場合に、上記小壁領域に開口領域上の荷重を支持する梁状部材を割り付け、上記開口調整領域が設定されている場合に、上記開口調整領域に上記梁状部材の左右両端部を支持する支持部材を割り付け、次いで、小壁領域、開口領域及び開口調整領域を除く壁領域に壁パネルを割り付けることを上記課題の解決手段とした。
【００１０】
また、本発明の上記請求項２記載の設計支援装置は、上記壁領域設定手段は、上記配置すべき壁の下辺及び上辺の位置に基づいて、各壁線毎に上記壁パネルを割り付けるべき壁領域を設定し、かつ、上記下辺及び上辺の形状に基づいて壁領域を分割することを上記課題の解決手段とした。
【００１１】
また、本発明の上記請求項３記載の設計支援装置は、上記開口周囲領域設定手段が、上記開口領域の下に、上記開口領域の左右側縁位置に対応した左右側縁位置を有する腰壁領域を設定し、
上記小壁領域に上記梁状部材を割り付けるとともに、上記開口調整領域に上記支持部材を割り付け、かつ、上記腰壁領域に上記開口調整領域に配置された支持部材下端を支持する腰壁部材を割り付け、次いで、上記開口領域、小壁領域、開口調整領域及び腰壁領域を除く壁領域に壁パネルを割り付けることを上記課題の解決手段とした。
【００１３】
【作用】
上記請求項１記載の構成によれば、建築物内に構成される部屋の外周線を壁線とし、該壁線の配置を壁パネルを割り付けるべき壁の平面配置としている。
また、上記壁線は、壁パネルの平面上の割付範囲を示すものとしているので、壁線の左右端部には、壁パネルの左右側縁が配置されることになる。
【００１４】
ここで、壁パネルを全体が略均質なボードではなく、例えば、枠体と該枠体の両面もしくは一面に面材を貼設した箱状のものとした場合には、壁のＬ字状（角部）、Ｔ字状、十字状の交点でこれらの壁パネルを接合する際に、壁パネルの枠体すなわち芯材が存在する部分で互いに接合することが強度上好ましいが、上述のように壁線を壁線の角部及び交点で分割することにより、壁のＬ字状、Ｔ字状、十字状の交点に壁線の端部が配置されるとともに、壁パネルの側縁が配置されることになり、角部及び交点において、施工上及び強度上好まし壁パネルの割付を容易に行うことが可能となる。
【００１５】
次いで、壁線上において、壁線により設定された壁の左右範囲と壁の上下位置を規制する屋根や床の配置に基づいた壁の上下範囲とから壁領域が設定される。
上記壁領域は、壁線の配置が有する壁の平面配置と、上記屋根や床の配置に基づいた壁の上下範囲とから立体的な壁の配置を示すことになる。
【００１６】
また、壁領域には、上記開口部に対応した開口領域が設定されるとともに、該開口領域上に開口領域上の荷重を支持する部材が配置される小壁領域が設定されることになる。
従って、上記開口領域上に小壁領域を設定することにより、壁領域に壁パネルを割り付ける前に、開口領域上の荷重を支持する部材を配置する領域を確保することができる。
【００１７】
すなわち、壁に開口部があっても、小壁領域を予め設定することにより、壁パネルの割付方により、強度的な問題が生じるのを防止することが可能となる。例えば、開口領域上に小壁領域を配置するとともに、該小壁領域に一体の部材を配置することにより、開口部上に壁パネル同士の接合部が配置されるような事態を防止することができる。
【００１８】
また、住宅の屋根、壁、床等の各構成部分の平面配置を基準単位長さ毎に縦横に引かれたグリッド線に従ったものとすることにより、設計及び部材の割り付けを容易なものとするとともに、上記小壁領域の左右の側縁をグリッド線に対応させることにより、開口領域の左右側縁がグリッド線に対応していなくとも、小壁領域をグリッド線に対応させ、小壁領域の左右に配置される壁パネルをグリッド線に対応して割り付けることができ、開口領域周囲への壁パネルの割り付けを容易なものとすることができる。
【００１９】
また、上述のように小壁領域の左右側縁をグリッド線に対応させるとともに、開口領域の周囲に開口調整領域を設け、開口領域の幅と小壁領域の幅のずれを開口調整領域に吸収させることができる。また、開口調整領域に小壁領域の左右側縁部を支持する支持部材を配置させることにより、小壁領域に配置された梁状部材の左右側縁を、単にその左右に配置される壁パネルに接合することにより支持させるようにした場合に比較して、強度を向上することができる。
また、上記開口調整領域を生成する際に、上記開口領域が外壁の壁領域に設けられるものか、内壁の壁領域に設けられるかにより処理を変更している。すなわち、内壁は、外壁に比較して負荷が少ないので、必ずしも、小壁パネルを支持する支持部材が無くとも、小壁パネルの両側縁に隣接する壁パネルの側縁に接合することにより、充分な強度を得ることができる。
従って、内壁においては、開口調整領域に配置される部材を支持部材ではなく調整部材として扱うものとなっている。すなわち、内壁の開口領域においては、開口領域の両側縁と同じ位置に両側縁を有する小壁領域を仮設定し、次いで、上記小壁領域の両側縁をそれぞれ左右外側に移動してグリッド線に合わせ、移動後の小壁領域の左右側縁と開口領域の左右側縁との間を開口調整領域としている。
そして、上述のように設定された小壁領域の左右側縁とグリッド線がはじめから一致してしまった場合には、開口調整領域が設けられない可能性がある。すなわち、調整の必要がなければ、開口調整領域を削除することにより、施工性を向上できるようになっている。また、仮設定された小壁領域の左右側縁とグリッド線との距離が近ければ、僅かな幅を有する開口調整領域が設けられることになるが、上述のように、開口調整領域に配置される部材を小壁パネルを支持する部材ではなく、開口領域の幅を調整する部材とみなしているので、不必要に幅の長い開口調整領域が生成されることがない。
また、外壁においては、開口調整領域に配置される部材を小壁パネルを支持する部材とみなしているので、小壁パネルを支持するのに最低限必要な開口調整領域の幅を設定しておくようになっている。すなわち、所定幅の開口調整領域を仮に設けてから、開口調整領域の幅を広げるようにして、開口調整領域の開口領域と反対側の側縁をグリッド線に合わせるようになっている。
従って、開口調整領域において、最低限必要な幅を確保することができるとともに、開口領域の幅をグリッド線に対応することができるようになっている。以上のように、外壁に比較して負荷の小さい内壁に余分に大きな開口調整領域が配置され、開口調整領域に割り付ける部材の施工の手間が増えるのを防止するとともに、内壁に比較して負荷の大きい外壁においては、確実に小壁パネルを支持できる開口調整領域の幅を確保するとともに、開口領域の幅を上記グリッド線に対応させることができる。
【００２０】
また、本発明の上記請求項２記載の構成によれば、壁を屋根裏面まで達する構成とした場合に、主に屋根の形状により複雑化する壁の形状を、屋根の裏面に対応した壁の上辺の形状に基づいて分割することにより、壁の形状を単純化し、パネルの割付を容易にすることができる。
【００２１】
また、本発明の上記請求項３記載の構成によれば、開口領域の下に腰壁領域を配置することにより、開口領域の周囲が小壁領域、開口調整領域、腰壁領域に囲まれた状態となり、各領域にそれぞれ一体の部材を配置するようにすることで、開口領域周囲の割り付けを壁領域への壁パネルの割り付け前に、決定することができる。
【００２２】
すなわち、壁領域全体に壁パネルを割り付ける前に、壁の開口部における強度を確定することが可能となっており、残りの壁領域に壁パネルをそのサイズに基づいて割り付けるようにした場合に、開口部における強度不足が発生するのを防止することができる。
【００２３】
【実施例】
以下に、本発明の一実施例の図面を参照して説明する。
なお、この実施例の壁パネルの割付方法は、床、壁、屋根等がパネルから構築される住宅の設計において用いられる方法である。
また、上記パネルは、例えば、木製の芯材を矩形枠状もしくは矩形以外の枠状に組んで、枠体を形成し、該枠体の少なくとも一面に面材を貼設したものである。
また、この実施例の壁パネルの割付方法は、いわゆる、ＣＡＤシステムとしての設計支援装置上において、オペレータの操作の下に自動処理されるものである。
【００２４】
また、上記設計支援装置は、住宅の間取りや各種建具や各種仕上部材等の配置（住宅の意匠）を入力するための意匠入力機能と、上記意匠において、床、壁、屋根等にパネルを配置するとともに、その他の躯体となる部材や該部材及び上記パネルに付随する部材を配置し、かつ、住宅の必要強度をチェックする構造決定機能と、上記意匠入力及び構造決定において割り付けられた部材に基づいて、設計される住宅の見積りを求める積算機能とを有するものである。
【００２５】
そして、図１に示すように、本実施例の壁パネルの割付方法を処理する設計支援装置は、ＣＡＤ  システムとしていわゆる一般的なコンピュータシステムとしてのシステム構成を有するものであり、図示しないＣＰＵ（ｃｅｎｔｒａｌ  ｐｒｏｃｅｓｓｉｎｇ  ｕｎｉｔ）、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）等から構成される演算処理装置（コンピュータ本体）１と、ハードディスクドライブ等からなる記憶装置２と、キーボード及びマウス、タブレット、デジタイザーなどのポインティングデバイスからなる入力装置３と、ＣＲＴディスプレイ等のディスプレイからなる表示装置４と、プリンタやプロッター等からなるハードコピーの出力装置５とを有するものである。
【００２６】
上記記憶装置２には、設計支援装置で用いられる各種プログラムや、該プログラムで用いられる各種データが記憶されている。
上記各種プログラムは、本発明に係わる部分を除いて、基本的に、周知のＣＡＤ  システムとしてのものであり、設計支援装置上での住宅の設計を行うためのものである。
また、上記各種データとしては、上記設計支援装置上での住宅の設計に際して、住宅に割り付けられる各種部材のデータであり、例えば、各種部材の形状や、価格等の様々なデータが記憶されている。
【００２７】
また、記憶装置２には、上記意匠、構造、積算等の各段階において行われた設計の操作により生じた設計のデータが記憶されている。
さらに、この実施例においては、上記意匠機能において、間取りを決定するに際して、設計すべき住宅の部屋の領域（居間、食堂、台所、トイレ、バス、居室、収納、その他基本的に壁で囲まれる領域が含まれる）が入力されるとともに、上記部屋の外周線が壁線１０（図２に図示）とされ、また、壁線上には、窓、出入口等の開口部（図示略）が配置され、該開口部を含む壁線の配置が設計データファイルとして記憶されている。
【００２８】
また、この実施例においては、上記構造機能において、図２に示すように、予め設定されたロジックにより、壁線１０を、耐力壁線１０ａ、支持壁線１０ｂ、属性未設定壁線１０ｃ等に種類分けするようになっており、上記設計データファイルの壁線１０の配置には、上記開口部や壁線１０の種類が記憶されている。
【００２９】
すなわち、上記設計データファイルにおいては、少なくとも壁線１０の配置と壁線１０の種類と開口部の配置が記憶されている。
ここで、上記壁線１０の種類について説明する。
まず、壁線１０の種類は、外壁と内壁とに分類される。上記外壁となる壁線１０は、住宅の外周に配置される壁線１０であり、外壁の壁線１０以外の壁線１０が内壁とされている。
また、外壁は、少なくとも一方の面が外部に露出する壁であり、内壁は、両方の面とも外部に露出しない壁である。
【００３０】
次に、壁線１０は、該壁線１０上に配置される壁の構造的分類に基づいて、上述のように耐力壁線１０ａ、支持壁線１０ｂ、属性未設定壁線１０ｃ等に分類される。
上記耐力壁線１０ａ上には、基本的に水平荷重及び垂直荷重を支持する耐力壁が配置される。なお、耐力壁は、耐力壁線１０ａ上の全ての部分に配置されるものではない。例えば、耐力壁線１０ａ上に窓、出入口等のような開口部が配置される場合には、該開口部の部分が耐力壁とされることはない。
【００３１】
また、上記支持壁線１０ｂ上には、基本的に垂直荷重を支持する支持壁が配置される。また、耐力壁線１０ａの場合と同様に、支持壁線１０ｂ上の全ての部分に支持壁が配置されるとは限らない。
上記属性未設定壁線１０ｃは、特に問題がなければ、間仕切り壁線とされるものであり、属性未設定壁線１０ｃ上には、特に荷重を支持しない間仕切り壁が配置される。
【００３２】
上記演算処理装置１は、周知のＣＡＤ  システムとしての機能を有するとともに、この実施例においては、以下に説明する壁パネルの割り付けのために上記壁線１０上に壁パネルを割り付ける壁領域１２（図１８等に図示）を設定するとともに、壁線１０の分割及び壁領域１２の分割を行うことにより、壁への壁パネルの割り付けを容易にするとともに、壁パネル割り付け時に、壁の強度及び施行性を確保し、その後に壁パネルを割り付ける機能を有する。
【００３３】
上記演算処理装置１は、より具体的に説明すると、上述のように記憶装置２に記憶された壁線１０の分割、分割された各壁線１０の端部の取り合いの勝ち負けによる端部の長さの調整、各壁線１０毎に壁領域１２の設定、壁領域１２の分割、壁領域１２内への開口部周囲領域の設定及び壁領域１２への壁パネル等の部材の割り付けを行うようになっている。
【００３４】
次に、以上のような構成の設計支援装置における壁線１０の分割及び壁の接合部での壁パネル端部の取り合いの勝ち負けの決定に伴う壁先端部の調整の方法を図３及び図４のフローチャートを参照して説明する。
まず、例えば、図５に示すような壁線１０の配置を記憶装置２の設計データファイルから読み込む（ステップＡ１）。
【００３５】
そして、演算処理装置１は、上記壁線１０のＬ字状、Ｔ字状、十字状の交点１３及び壁線１０の端点を交点（端点も交点の一種とする）１３として認識する（ステップＡ２）。
そして、上記交点１３において、各壁線１０を分割する（ステップＡ３）。
次に、上記認識された一つの交点１３が端点か否かを判断する（ステップＡ４）。
【００３６】
そして、上記交点１３が端点の場合に、上記端点における壁の取り合いを勝ちとし（ステップＡ５）、完全に上記交点１３における壁の接合端部の取り合いの勝ち負けが決定したかどうかを判断する未確定処理のステップ２１の処理に進む。
なお、上記交点１３が端点の場合には、他の壁との取り合いが発生しないので勝ちとする。
次に、上記交点１３が端点でない場合には、上記交点１３において一端を接する各壁線１０…が内壁か外壁かを認識する（ステップＡ６）。
【００３７】
そして、上記交点１３において、外壁と内壁とが、混在するかどうかを判定する（ステップＡ７）。
そして、外壁と内壁とが混在する場合には、上記交点１３における壁の端部の取り合いにおいて内壁の壁線１０を負けとし（ステップＡ８）、残りの外壁同士の勝ち負けを決めるステップＡ１０の処理に進む。
【００３８】
一方、内壁と外壁とが混在していない場合には、上記交点１３で一端を接する各壁線１０が外壁かどうかを判定する（ステップＡ９）。
そして、上記各壁線１０…が外壁の場合には、まず、上記各壁線１０（ステップＡ８からの処理により上記交点１３において接する内壁がある場合には、ステップＡ８において内壁が負けとされているので無視する）の交点１３側端部から所定の距離以内に端部開口部１４がある壁線１０が一つあるか否か判定する（ステップＡ１０）。
【００３９】
そして、端部開口部１４がある壁線１０が一つの場合には、図６に示すように上記端部開口部１４を有する壁線１０ｄを勝ちとするとともに、残りの壁線１０ｅを負けとし（ステップＡ１１）、上記ステップＡ２１の処理に進む。
そして、端部開口部１４がある壁線１０が一つではない場合には、上記交点１３が出隅か否かを判定する（ステップＡ１２）。
【００４０】
なお、上記端部開口部１４は、交点１３からの距離が予め設定された長さ以下の開口部であり、端部開口部１４を有する壁の端部においては、端部開口部１４の上部に配置される部材を支持する柱状部材Ｓが配置されるようになっている。
【００４１】
従って、上記端部開口部１４を有する壁を負けとして壁の端部を後退させた場合には、上記柱状部材Ｓを配置することが困難になり、端部開口部１４の位置をずらすか、端部開口部１４上の部材を端部開口部１４を有する壁に接合される壁線１０ｅ側の壁に支持させる必要が出てくるので、上述のように端部開口部１４を有する壁線１０ｄを勝ちとした方が、構造及び施工上において好ましい。
【００４２】
そして、出隅の場合には、図７（Ａ）に示すように、住宅の屋根の妻側側縁に沿った壁線１０イを負けとするとともに上記屋根の桁側側縁に沿った外壁線１０アを勝ちとし（ステップ１３）、ステップＡ２１の処理に進む。
ここで、図８の（Ａ）は、妻側の壁Ｋイを図面上で水平に配置した状態での出隅外壁角部の妻側の壁Ｋイと桁側の壁Ｋアの平面を示し、図８（Ｂ）は、上記妻側の壁Ｋイ上に屋根裏面に達する三角形状の壁パネルＫｔを配置し、桁側の壁Ｋア上に後述する結合桁Ｋｋを配置した状態で、妻側から見た側面を示している。
【００４３】
また、図８の（Ｃ）は、桁側の壁Ｋアを図面上で水平に配置した状態での出隅外壁角部の桁側の壁Ｋアと妻側の壁Ｋイの平面を示し、図８（ｄ）は、図８（Ｂ）に示す出隅外壁角部を桁側から見た側面を示している。
また、図８においては、上述のように桁側の壁を勝ちとしている。なお、この実施例においては、後述するように外壁のＬ字状の交点においては、外壁の壁Ｋア、Ｋイの壁パネルの芯材の配置の問題等により、角部に調整材Ｔを配置するようになっている。
【００４４】
図８に示すように、この実施例において設計される住宅において、最上階の壁（ここでは上記耐力壁及び支持壁のこと）は、屋根の裏面まで達するようになっている。従って、屋根の傾斜方向に沿って配置される壁（妻側の壁Ｋイ）の上部は上記三角形状の壁パネルＫｔにより屋根の勾配に沿った三角形状に形成されている。
また、屋根の傾斜方向に直交する壁（桁側の壁Ｋア）は、上辺を水平にされるととともに、その上部に壁の厚み方向に屋根の傾斜に沿った傾斜を有する結合桁Ｋｋが配置されるようになっている。
【００４５】
すなわち、屋根の下の外壁同士のＬ字状の交点においては、図８に示すように、桁側の壁Ｋ１及び調整材Ｔの上に上記傾斜を有する結合桁Ｋｋが配置され、妻側の壁Ｋイの上辺は上記結合桁Ｋｋの頂点からさらに上に向かった斜面とされている。
ここで、上記勝ち負けの条件に反して、妻側の壁Ｋイを勝ちとし、桁側の壁Ｋアを負けとした場合には、図９の（Ａ）、（Ｂ）、（Ｃ）、（Ｄ）に示すようになる。
なお、図９の（Ａ）及び（Ｃ）は、図８の（Ａ）及び（Ｃ）に対応する平面図であり、図９の（Ｂ）は図８の（Ｂ）に対応する側面図であり、図９の（Ｄ）は図９の（Ｄ）に対応する側面図である。
【００４６】
図９の（Ｂ）及び図（Ｄ）に示すように、勝ちの妻側の壁の上辺を形成する三角形状の壁パネルＫｔが、負けの桁側の壁Ｋアの厚みの中央部まで達することになり、桁側の壁Ｋア上に配置される結合桁Ｋｋを上記調整材Ｔの上まで配置しようとすると、結合桁Ｋｋの調整材Ｔ上に配置される部分において、妻側の三角形状の壁パネルＫｔの先端部が配置される部分に切り欠き部ｎを形成する必要があり、壁Ｋア、Ｋイ及び結合桁Ｋｋの製作における施工性を低下させることになる。
言い換えれば、外壁同士の出隅の角部においては、桁側を勝ちとすることにより、施工性を向上することができる。
【００４７】
そして、出隅でない場合、すなわち、交点１３が入隅の場合には、図７（Ｂ）に示すように、住宅の屋根の桁側側縁に沿った壁線１０アを負けとするとともに上記屋根の妻側側縁に沿った壁線１０イを勝ちとし（ステップＡ１４）、ステップＡ２１の処理に進む。
なお、外壁の壁線１０同士の入隅の交点１３は、屋根の下において、例えば、図１０（Ａ）及び（Ｂ）に示すような状態となっている。
【００４８】
なお、図１０（Ａ）は、妻側の壁Ｋイを勝ちとした場合における外壁同士の入隅の角部の平面図であり、図１０（Ｂ）は、外壁同士の入隅の角部の妻側の内面からの側面図である。
この場合には、妻側の壁Ｋイは、桁側の壁Ｋアとの交点において、外壁Ｋイと内壁Ｋｎとが接合された状態となっており、この内壁Ｋｎと外壁Ｋイとが接合された壁の上辺が屋根の傾斜に沿った斜面となっている。
【００４９】
ここで、図１１（Ａ）及び（Ｂ）に示すように桁側の壁Ｋアを勝ちとすると、妻側の壁Ｋイと内壁Ｋｎとの間に桁側の壁Ｋアが割り込む形となるとともに、さらに、後述するように壁パネルの芯材の配置等により、桁側の壁Ｋアの端部に調整材Ｔを配置する必要がでてくることになる。
従って、桁側の壁Ｋアを勝ちとすると施工性の低下を免れない。
なお、図１１（Ａ）は、桁側の壁Ｋアを勝ちとした場合における外壁同士の入隅の角部の平面図であり、図１１（Ｂ）は、外壁同士の入隅の角部の妻側の内面からの側面図である。
【００５０】
次に、上記ステップＡ９において、各壁線１０…が外壁ではなく内壁と判定された場合には、上記交点１３がＬ字状か否かを判定する（ステップＡ１５）。
そして、上記交点がＬ字状の場合には、図１２に示すように、図面上において、Ｙ方向に沿った壁線１０エを勝ちとし、Ｘ方向に沿った壁線１０ウを負けとする（ステップＡ１６）。
そして、上記交点１３がＬ字状でない場合には、次に、上記交点１３がＴ字状か否かを判定する（ステップＡ１７）。
【００５１】
そして、上記交点１３がＴ字状の場合には、図１３に示すように、まず、直線上に連続する二つの壁線１０オ、１０カに接する壁線１０キを負けとする（ステップＡ１８）。
次に、上記連続する二つの壁線１０オ、１０カのうちの図面上の原点に近い方の壁線１０オを勝ちとするとともに原点に遠い方の壁線１０カを負けとし（ステップＡ１９）、ステップＡ２１の処理に進む。
【００５２】
そして、上記交点１３がＬ字状でもＴ字状でもない場合には、次に、上記交点が十字状のものとし、図１４に示すように二組の連続する二つの壁線１０コ
１０サ（１０ケ、１０ク）のうちの図面上でＸ方向に沿った二つの壁線１０コ、１０サを負けとする（ステップＡ２０）。
そして、残りの連続する二つの壁線１０ケ、１０クのうちの図面上で原点に近い方の壁線１０クを勝ちとするとともに原点から遠い方の壁線１０ケを負けとし（ステップＡ１９）、ステップＡ２１の処理に進む。
なお、内壁の場合には、交点１３における壁の取り合いの勝ち負けを変更しても強度上もしくは施工上問題がでる可能性が少ないので、特に桁側や妻側で勝ち負けの設定をしないものとした。また、各交点の取り合いの勝ち負けを図面上のＸ方向やＹ方向等のような区別で統一することにより、施工においてパネルの配置ミスを防止したり、施工効率を向上することができる。
【００５３】
次に、ステップＡ２１における未確定処理を図４の上のフローチャートにより説明する。
ステップＡ２１の未確定処理においては、各交点１３における壁の接合端部の取り合いの勝ち負けが全て確定しているかどうか判断する（ステップＢ１）。
すなわち、交点１３において、一つの壁線１０が勝ちとなり、残りの壁線１０が全て負けとなっているかどうかを判断する。
勝ち負けが決定している場合には、壁の接合端部の長さを調整するためにステップＡ２２の端部調整処理に進む。
【００５４】
一方、勝ち負けが決定していない場合には、予め、決められた最終優先順位に基づき、上記交点１３において、各壁線１０…の優先順位を決定する（ステップＢ２）。
なお、上記最終優先順位は、上記条件により勝ち負けが決定しなかった場合に、さらに詳細な条件により、勝ち負けを決定するためのものである。
そして、上記交点１３において、壁線１０…同士の最終優先順位を比較し、上記交点において最も最終優先順位の高い壁線１０が一つか否かを判断する（ステップＢ３）。
【００５５】
上記交点１３において、最も優先順位の高い壁線１０が一つの場合には、該壁線１０を勝ちとするとともに残りの壁線１０を負けとし（ステップＢ４）、上記ステップＡ２２の端部調整処理に進む。
また、上記交点１３において、最も優先順位の高い壁線１０が一つ以上の場合、すなわち、上記交点１３において、最も優先順位が高い同位の壁線１０が二つ以上存在する場合には、これら壁線１０を引き分けとし（ステップＢ５）、上記ステップＡ２２の端部調整処理に進む。
【００５６】
次に、上記ステップＡ２２の端部調整処理を、図４の下のフローチャートにより説明する。
端部調整処理においては、上記交点１３において接する各壁線１０のうちの一つの壁線１０が負けかいなかを判定し（ステップＣ１）、負けの場合には、図１５（Ａ）に示すように上記壁線１０シを交点１３から所定距離（壁の厚みの半分の距離）だけ後退させる（ステップＣ２）。
次に、上記壁線１０が負けでない場合には、上記壁線１０が引き分けの壁線１０スか否かを判定し（ステップＣ３）、引き分けの場合には、図１５（Ｃ）に示すように、上記壁線１０スをそのまま交点１３までの壁線とする（ステップＣ４）。
【００５７】
次に、上記壁線１０が負けでも引き分けでもない場合、すなわち、上記壁線１０が勝ちの場合には、上記壁線１０が外壁か否かを判定し（ステップＣ５）、外壁の場合には、図１５（Ｃ）に示すように、上記外壁の勝ちの壁線１０セをそのまま交点１３までの長さとする（ステップ４）。
そして、上記勝ちの壁線１０が外壁でない場合、すなわち、内壁の場合には、図１５（Ｂ）に示すように、上記内壁の勝ちの壁線１０ソを上記交点１３から上記所定の距離だけ延長する（ステップＣ６）。
【００５８】
そして、上記交点にまだ壁線１０がある場合には（ステップＣ７）、次の壁線１０に対して端部調整処理を行う。
また、一つの交点における端部調整処理が終了した場合には、最初に読み込まれた壁線１０の配置に次の交点１３が有るか否か判定し（ステップＡ２３）、次の交点において、優先順位を決定する処理を繰り返す。
【００５９】
なお、上記端部調整処理において、内壁の壁線１０が勝った場合だけ、壁線１０の端部を延長し、外壁の壁線１０が勝った場合に、壁１０の端部を延長しないのは以下の理由によるものである。
すなわち、上記交点１３における壁パネル同士の接合は、基本的に、勝ち側の壁パネルの端部側面に、負け側の壁パネルの端面を接合する状態となるが、この実施例において、壁パネルの端部の芯材は、壁パネルの厚みの半分となっている。
【００６０】
従って、負け側の壁パネルの端面を構成する芯材の半分しか勝ち側の壁パネルの芯材がないことになり、接合上問題がある。
そこで、この実施例では、内壁の場合に、勝ち側の壁パネルの端部の芯材の内側にもう一つ芯材を配置して、負け側の壁パネルの端面を構成する芯材の幅と勝ち側の壁パネルの端部の芯材の厚みとをほぼ同一のものとしている。
【００６１】
それに対して外壁の場合には、勝ち側の壁パネルの端部の芯材の外側に、壁パネルの厚みと同じ幅を有するとともに、壁パネルの厚みの半分の厚みを有する調整材Ｔを配置して、壁パネル同士を接合するようにしている。
従って、外壁の接合部においては、壁線の端部の先に上述の調整材が配置されるので、壁線を延長しないようになっている。
【００６２】
以上のような処理により、壁線１０…の交点１３となる壁パネル同士が接合される部分における接合端部の取り合いの勝ち負けを決定することができ、上記交点１３において各壁の範囲を正確に限定して壁への壁パネルの割り付けを容易なものとすることができる。
【００６３】
また、上記勝ち負けを決定する際の優先順位は、壁の強度及び施工性が考慮されているので、設計支援装置により、オペレータの介入なしに、壁同士の接合部の取り合いを決定しても、該取り合いにより、住宅の強度が低下したり、施工性が低下するようなことがなく、壁の領域に効率良く壁パネルを割り付けることができるとともに、強度的にも問題がない壁を構築することが可能となる。
【００６４】
すなわち、壁の領域に自動的に壁パネルを割り付ける際に、上述の処理、すなわち、上記交点１３部分の壁の接合部における壁の接合端部の勝ち負けを壁の強度及び施工性を考慮して決定することにより、壁の強度及び施工性を考慮した壁パネルの割り付けが可能な壁領域１２を設定することができる。
【００６５】
次に、上記処理において交点１３において分離された直線状に連続する二つの壁線１０、１０の再結合方法を図１６を参照して説明する。
まず、上述の処理が終了した壁線１０の配置のデータを読み込む。
そして、上記壁線１０の配置において、直線状に連続する二つの壁線１０（外壁の場合、壁線１０ナ、１０ナ、内壁の場合、壁線１０ニ、１０ニ）を含む交点１３（Ｔ字状もしくは十字状交点）を抽出する。
【００６６】
次に、上記交点１３において、直線状に連続する二つの壁線１０ナ、１０ナ（１０ニ、１０ニ）に接する壁線１０ヌが、耐力壁線１０ａもしくは支持壁線１０ｂか否かを判定し、耐力壁線１０ａもしくは支持壁線１０ｂの場合には、上記連続する二つの壁線１０ナ、１０ナ（１０ニ、１０ニ）をそのままとし、耐力壁線１０ａでも支持壁線１０ｂでもない場合には、上記連続する二つの壁線１０ナ、１０ナ（１０ニ、１０ニ）を一つの壁線１０ネに再結合する。
【００６７】
以上のようにすることで、壁線１０の交点１３において、壁線１０を分割してしまうことにより、強度の面もしくは施工の面から本来必要がない、壁の接合部を形成してしまい、施工の効率化を阻害するのを防止することができる。
【００６８】
なお、上記実施例においては、端部調整において、勝ちの壁線の長さの調整を外壁と内壁とで別にしたが、外壁における壁の接合方法と内壁における壁の接合方法を同一のものとすれば、外壁と内壁とにおける端部調整を同様に行うことができる。
【００６９】
次に、壁領域１２の設定方法について図１７のフローチャートを参照して説明する。
まず、例えば、図５に示すような壁線１０の配置を記憶装置２の設計データファイルから読み込む（ステップＤ１）。
次に、読み込まれた一つの壁線１０の配置データに壁が斜めであることを示すデータが含まれるかどうかを判定する（ステップＤ２）。
【００７０】
そして、斜めであることを示すデータがある場合には、設計データファイルに登録された斜めの壁のデータに基づいて斜めの壁領域１２を生成する（ステップＤ３）。
なお、壁線１０は、壁線１０同士の交点で分割された状態となっており、上記一つの壁線１０とは、交点で分割された壁線１０を示すものである。
そして、上記ステップＳ２において、上記壁線１０のデータに壁が斜めであることを示すデータがない場合には、上記壁線１０の種類が間仕切り壁線（上部構造物を支持しない全ての壁線を含む）か否かを判定する（ステップＤ４）。
なお、間仕切り壁線は、上記壁線の種類において、属性未設定壁線１０ｃとされている。これは、設計変更や、強度のチェックにおいて、耐力壁線１０ａや支持壁線１０ｂが不足した場合に、属性未設定壁線を耐力壁線１０ａや支持壁線１０ｂに変更するためのものである。
【００７１】
そして、壁線１０の種類が間仕切り壁線１０ｃの場合には、図１８に示すように、予め設定された高さを壁の高さＬ１とし、上記壁線１０（図１８において壁線１０の位置を破線の壁線位置１５で示した）に沿って床から予め設定された高さまでを間仕切り壁の壁領域１２として生成する（ステップＤ５）。
なお、図１７において、符号１６は、床領域を示し、符号１７は、屋根領域１８（図２１に図示）の下面を示す。
【００７２】
なお、上記壁線１０の直上の規制部位の形状を読み込み、該規制部位の下端の高さが、上記予め設定された高さＬ１より低い場合には、壁領域１２の高さを修正し、上記規制部位の下端の高さを壁の高さとして、壁領域１２を生成する。
また、上記規制部位が、屋根の場合には、壁上に結合桁Ｋｋが配置される場合があり、この場合には、壁の高さを上記規制部位の下端に結合桁Ｋｋを配置した状態で、結合桁Ｋｋの下端までとして、壁領域１２を生成する。
【００７３】
そして、上記ステップＤ４において、壁線１０の種類が間仕切り壁線でない場合、すなわち、壁線１０の種類が支持壁線１０ｂか耐力壁線１０ａの場合には、次に、上記壁線１０の直上の規制部位の配置を読み込み（ステップＤ６）、壁線１０上の規制部位を検索する（ステップＤ７）。
そして、上記壁線１０の直上の規制部位が屋根かどうか判定する（ステップＤ８）。
【００７４】
そして、上記壁線１０の直上の規制部位が屋根の場合には、次に上記壁線が屋根の傾斜に直交しているか否かを判定する（ステップＤ９）。
すなわち、壁線１０上に壁を配置した場合に、壁の上辺が屋根の傾斜に直交して水平となるか、屋根の傾斜に沿って斜めになるかを判定する。
そして、上記壁線１０が屋根の傾斜に直交している場合には、図１９及び図２０に示すように、壁の上辺が水平な矩形状の壁領域１２を生成することになるが、この際には、図１９に示すように壁の上端に屋根の傾斜を吸収するように上面が斜面となった上記結合桁Ｋｋを配置する必要がある。
【００７５】
そこで、まず、上記記憶装置２の設計データファイルの規制部位の形状から上記壁線１０の直上における屋根の下面１７の高さを求めるとともに、該高さから結合桁Ｋｋの高さを減算して、壁領域１２の高さＬ２とする。
なお、屋根下面１７の高さは、この実施例において、床領域１６上面からの高さではなく、地面１９からの高さで示されるので、壁領域１２の高さＬ２は、実際には屋根下面の高さから結合桁Ｋｋの高さと、地面１９から床領域１６上面までの高さＬ３とを減算したものである。
そして、図１９及び図２０に示すように壁線１０に沿って床領域１６上面から上記高さＬ２までの壁領域１２を生成する（ステップＤ１０）。
なお、図２０においては、壁領域１２を面で示したが、この段階において、壁領域１２を厚みを持つものとしても、平面としても良い。
【００７６】
また、上記ステップＤ９において、壁線１０が屋根の傾斜に直交していない場合には、上記記憶装置２の設計データファイルの規制部位の形状から上記壁線１０の直上の屋根領域１８の下面の高さを求める。
この際に、上記屋根領域１８の下面１７の高さは、図２１に示すように屋根の傾斜に沿って斜めのものとなる。
そして、上記壁線１０に沿って床から上記屋根領域１８の下面１７までの高さを壁領域１２として生成する（ステップＤ１１）。
【００７７】
この際の壁領域１２は、図２２に示すように、矩形状とはならずに、上辺が傾斜した形状となる。
そして、上記ステップＤ８において、上記壁線１０の直上の規制部位が屋根でない場合には、次に、上記規制部位が床か否かを判定する（ステップＤ１２）。
そして、上記規制部位が床の場合には、図２３に示すように、上記記憶装置２の設計データファイルの規制部位の形状から上記壁線１０の直上における床から上階床領域１６ａの下面２０までの高さを求める。
【００７８】
なお、生成すべき壁領域１２の高さＬ４は、地面１９から上階床領域１６ａの上面までの高さＬ５から下の床領域１６の上面までの高さＬ３と、上階床領域１６ａの厚みＬ６とを減算したものである。
そして、壁線１０に沿って床から上記高さＬ４までの壁領域１２を生成する（ステップＤ１３）。
【００７９】
なお、上階床領域１６ａに配置される床パネルの厚みは、強度上の問題により異なる場合があり、厚みを厚くする場合には、図２４に示すように上階床領域１６ａの上面から下方に床領域１６ａの厚みが延びることになるので、上記壁領域１２の高さＬ４は、配置される床パネルの種類により異なることになる。
また、厚みの厚い床パネルは、図２４の床領域１６ａに示すように外壁に掛止さられる部分が、切り欠かれて切り欠き部２１とされている場合があるので、壁パネルの種類により、壁が内壁か外壁かによっても壁領域１２の高さＬ４が変更される場合がある。
【００８０】
次に、上記ステップＤ１２において、上記規制部位が床でない場合には、次に、上記規制部位がルーフバルコニー２２か否かを判定する（ステップＤ１４）。
そして、上記規制部位がルーフバルコニー２２の場合には、図２５に示すように、基本的に上記床の場合と同様にルーフバルコニー２２を形成する床パネル（ルーフバルコニー床領域１６ｃ）の下面までの壁領域１２を生成する（ステップＤ１５）。
【００８１】
すなわち、図２６に示すように、上記規制部位が床の場合と同様に生成すべき壁領域１２の高さＬ７は、地面１９からルーフバルコニー床領域１６ｃの上面までの高さＬ８から下の床領域１６の上面までの高さＬ３と、ルーフバルコニー床領域１６ｃの厚みＬ９を減算したものである。
なお、図２７、図２８及び図２９に示すように、ルーフバルコニー２０においても床と同様にルーフバルコニー床領域１６ｃを形成する床パネルの厚みの違いがある場合や、床パネルの外壁掛止部に切り欠き部２１が形成される場合があり、床パネルの種類により床下面の高さが異なることになる。
また、ルーフバルコニー床領域１６ｃにおいては、図２８に示すように、上記切り欠き部２１が内壁側に形成される場合もあり、床パネルの配置によっても壁領域１２の高さに影響がでる場合もある。
【００８２】
そして、上記ステップＤ１４において、規制部位がルーフバルコニー２２でもない場合にはエラー処理を行う（ステップＤ１６）。
そして、壁領域１２の生成処理が終わっていない壁線１０が残っているが否かを判定し（ステップＤ１７）、残っている場合にには、上記ステップＤ２に戻って、全ての壁線１０上において壁領域１２を生成するまで、繰り返し壁領域１２の生成を行う。
そして、生成された壁領域１２には、壁パネルが割り付けられ、壁の構造が決定されることになる。
【００８３】
以上のように、壁の配置を示す壁線１０の配置のデータと、該壁の種類を示す壁線１０の種類のデータと、該壁線１０上に配置されて壁の上端を規制する規制部位の配置のデータと、該規制部位の形状のデータとから、壁の高かさを求めるとともに、該壁の高さに基づいて壁パネルを割り付けるべき壁領域１２を生成するので、壁パネルを割り付ける際には、上記壁の領域が全て壁パネルで埋まるように、壁パネルを割り付けるだけで良い。
【００８４】
すなわち、壁パネルを割り付ける段階で、壁と壁に支持される床や屋根の構造を考慮する必要がなくなり、単に形状が決められた領域に、所定の形状の壁パネルを配置していくだけで、壁パネルの割り付けを行うことができ、壁パネルの割り付け処理を容易なものとすることができる。
また、この際には、上部構造物にあまり影響を受けない間仕切り壁と、その他の壁とを区別して処理することにより、壁領域の生成を容易なものとしている。
また、上部構造物に影響を受ける耐力壁や支持壁の場合には、壁線の直上部分の形状だけを抽出することにより、容易に壁の領域の上部形状を決めることができる。
【００８５】
次に、連続壁面の分割について、図３０のフローチャートを参照して説明する。
なお、壁領域１２は、各階毎に上下に分割されており、各階の床領域（図示略）の上面から上階の床領域もしくは屋根領域（図示略）の下面までとされている。
そして、屋根領域１８の下方に配置される壁領域１２は、場合によって図３１に示すように、壁領域１２の上辺が複雑な形状となる場合がある。
なお、図３１は、説明しやすいように極端な例を示したものである。
そこで、壁パネルの割り付けを容易なものとするために、上述のように壁領域１２の上辺が複雑な形状の場合には、上述のように分割された各壁線１０毎に生成された壁領域１２をさらに分割することになる。
【００８６】
まず、上記設計データファイルから、一つの住宅に対して設定された各壁領域１２のデータを一つずつ順次読み込む（ステップＥ１）。
次に、読み込まれた一つの壁領域１２のデータにおいて壁領域１２上辺の角度が変わる点（変更点２３）を検索する（ステップＥ２）。そして、上記壁領域１２の上辺に変更点２３が有るか無いかを判定する（ステップＥ３）。
【００８７】
そして、変更点２３が無い場合には、ステップＥ７に進む。
また、図３１に示すように、壁領域１２の上辺に角度の変わる変更点２３がある場合には、一つの変更点２３において、（図３１の変更点２３ａのように）変更点２３を通る左右の上辺が、上に凸となる同一の勾配（方向は逆）か否かを判定する（ステップＥ４）。
【００８８】
そして、変更点２３の左右の上辺の傾斜が同一の勾配でない場合には、上記壁領域１２を上記変更点２３で垂直な分割線２４により分割する（ステップＥ５）。また、変更点２３の左右の上辺の傾斜が同一の勾配の場合には、上記変更点２３ａにおける分割を行わないものとし、ステップＥ６に進む。
【００８９】
すなわち、上記変更点２３ａが屋根の棟と一致する場合には、壁領域１２の分割を行なわない。そして、上記壁領域１２に上記処理をしていない残りの変更点２３が有るか否かを判定し（ステップＥ６）、更に変更点２３がある場合には、ステップＥ２に戻る。
残りの変更点２３が無い場合には、変更点２３の有無を判定していない残りの壁領域１２が有るか否かを判定する（ステップＥ７）。
そして、残りの壁領域１２が有る場合には、続けて変更点２３における壁領域１２の分割処理を行うためにステップＥ１に戻る。
また、残りの壁領域１２が無い場合には、形状による壁領域分割処理を終了する。
【００９０】
次に、この実施例の設計支援装置による壁領域１２内の分割領域の生成が行われる。
そして、上記壁領域１２内の分割領域生成方法は、図３２のフローチャートに示すようにして行われる。
まず、上記設計データファイルから壁領域１２のデータを一つずつ順次読み込む（ステップＦ１）。
次に、読み込まれた壁領域１２に開口領域２５（図３４等に図示）があるか否かを判定する（ステップＦ２）。そして、開口領域２５が無い場合には、開口領域２５の周囲における処理を必要としないのでステップＦ７に進む。また、開口領域２５がある場合には、次に、上記壁領域１２が外壁か内壁かを判定する（ステップＦ３）。
【００９１】
そして、上記壁領域１２が外壁でなく内壁の場合には、後述する内壁開口調整領域生成処理を行う（ステップＦ４）。
また、上記壁領域１２が外壁の場合には、後述する外壁開口調整領域生成処理を行う（ステップＦ５）。
次に、開口調整領域２６が生成された壁領域１２において、後述する小壁・腰壁領域生成処理を行う（ステップＦ６）。
【００９２】
次に、上記処理を行っていない残りの壁領域１２が上記設計データファイルに有るか否かを判定する（ステップＦ７）。
そして、残りの壁領域１２が有る場合には、上記ステップＦ１に戻り、残りの壁領域１２が無い場合には、壁領域１２内の分割領域生成処理を終了する。
【００９３】
以下に、上記内壁開口調整領域生成処理について図３３のフローチャートを参照して詳細に説明する。
まず、上記処理により読み込まれた内壁の壁領域１２内の開口領域２５のデータを順次壁領域１２の左側から読み込む（ステップＧ１）。
【００９４】
次に、開口領域２５の左右の側縁に合わせて、後述するように開口領域２５上に設定される小壁領域２７（図３９等に図示）の左右側縁の位置を仮に設定する（ステップＧ２）。
すなわち、仮に設定された小壁領域２７の幅は、図３５に示される開口領域２５の幅と同じＷ１の長さとなる。
なお、上述のように住宅自体の設計は、上記予め決められた単位長さ毎に縦横に引かれたグリッド線２８（図３５等に図示、なお、図３５等のグリッド線は、水平面内に引かれたグリッド線を垂直に立ち上げて図示したものである）に沿って行われることになるが、建具のサイズは、必ずしも上記基準単位長さに基づいたものではないので、図３５に示すように上記開口領域２５もグリッド線２８からずれる可能性がある。
【００９５】
そして、開口領域２５がグリッド線２８からずれたまま設計の処理を進めた場合には、壁領域１２に壁パネル（上記基準単位長さに基づいて形成されたもの）を割り付ける際にもずれが生じることになり、上記基準単位長さに基づいて製造されたパネルではなく、規格外のパネルを用いなければならなくなったり、ずれを修正する修正部材を現場施工等で配置する必要がでてくる。
【００９６】
そこで、次に上記小壁領域２７の左側の側縁、すなわち、左辺が壁領域１２に直交するグリッド線２８の位置と一致するか否かを判定する（ステップＧ３）。そして、一致する場合は、小壁領域２７の左辺において、後述する調整処理を必要としないので、ステップＧ５に進む。
また、一致しない場合には、上記小壁領域２７の左辺を左方にずらすことにより、小壁領域２７の左辺とグリッド線２８とを一致させる（ステップＡ４）。
【００９７】
次に、上記小壁領域２７の右側の側縁、すなわち、右辺が壁領域１２に直交するグリッド線２８の位置と一致するか否かを判定する（ステップＧ５）。
そして、一致する場合は、小壁領域２７の右辺に対する調整処理を必要としないので、ステップＧ１２に進む。ここで、基本的には、上記右側の小壁領域２７の右辺を右方に移動することになるが、右辺を右に移動した場合に、該右辺が上記開口領域２５のさらに右側にある開口領域２５上部に設定されるべき小壁領域２７に重複したり、壁領域１２の右側縁を越える可能性がある。
【００９８】
そこで、上記右辺が上記グリッド線２８の位置に一致しない場合には、上記開口領域２５の更に右側に開口領域２５が有り、該開口領域２５の左辺を越えなければ、上記小壁領域２７の右辺をグリッド線２８に一致させることができないかどうかを判定する（ステップＧ６）。
【００９９】
そして、上記小壁領域２７の右辺をグリッド線２８に一致させると右側の開口領域２５の左辺を越えてしまう場合には、上記右辺を右側の開口領域２５の左辺と一致させる（ステップＧ７）。
すなわち、上記小壁領域２７と、該小壁領域２７のさらに右側にある開口領域２５の上に設定される小壁領域２７とを隣接して配置させる。
【０１００】
この場合には、開口領域２５同士の間に壁パネルが割り付けられることがないので、小壁領域２７の側縁が壁領域１２に直交するグリッド線に一致しなくとも、基準単位長さに基づかない規定外の壁パネルが用いられることがない。
また、小壁領域２７の長さにより、小壁領域２７に割り付けられる小壁パネルの長さが決まり、小壁領域２７の右辺が上記壁領域１２に直交するグリッド線２８と一致しない場合には、やはり、基準単位長さに基づかない規定外の小壁パネルが必要となるが、例えば、隣接する小壁領域２７、２７同士を合成することにより、規定外の小壁パネルを用いる可能性を最小限のものとすることができる。
【０１０１】
そして、上述のように小壁領域２７の右辺を決定した場合には、さらに右側にある開口領域２５の上に設定される小壁領域２７の左辺の位置も決定されてしまうので、後述するように、順次左側の開口領域２５のデータから読み込み、上記処理を行う際に、上記左辺の処理を必要としないので、次の右側の開口領域２５のデータを読み込む（ステップＧ８）とともに、上記左辺の処理を飛ばして、ステップＧ５に進む。
【０１０２】
また、上記ステップＧ６において、小壁領域２７の右辺がさらに右側の開口領域２５の左辺を越えない場合には、次に、上記小壁領域２５の右辺が壁領域１２の右側縁を越えなければ、壁領域１２に直交するグリッド線２８と上記右辺を一致できないかどうかを判定する（ステップＧ９）。
【０１０３】
そして、上記小壁領域２７の右辺を右方に移動してグリッド線２８と一致させた場合に、上記右辺が壁領域１２の右側縁を越える場合には、上記小壁領域２７の右辺を壁領域１２の右側縁に一致させる（ステップＧ１０）。
この場合には、小壁領域２７の右辺で壁領域１２が終わってしまうので、右辺とグリッド線２８が一致していなくとも壁領域１２内の壁パネルに上記規定外の壁パネルを用いる必要がない。
また、順次開口領域２５を壁領域１２の左側から読み込んだ場合には、小壁領域２５の右辺が壁領域１２の右端に達した場合に、上記壁領域１２に残りの開口領域２５が無いことになるので処理を終了する。
【０１０４】
また、上記小壁領域２５の右辺をグリッド線２８と一致するまで、移動しても壁領域１２の右側縁を越えない場合には、上記右辺を右方に移動して上記右辺とグリッド線２８とを一致させる（ステップＧ１１）。
【０１０５】
そして、小壁領域２７の左右側縁を外側に移動した場合に、小壁領域２７の左右側縁は、開口領域１１の左右側縁より外側となり、小壁領域２７の左右側縁に合わせて、左右に隣接する壁パネルを配置する場合には、図３４に示すように、上記開口領域２５の左右に空き領域ができることになる。そして、この空き領域が開口調整領域２６とされる（ステップＧ１２）。
【０１０６】
従って、開口領域２５の左右にそれぞれ配置される開口調整領域２６、２６の幅ｗ２、ｗ３は、まず、左側の開口調整領域２６、２６において、小壁領域２７の左辺から開口領域２５の左辺までとなる。また、右側の開口調整領域２６においては、小壁領域２７の右辺から開口領域２５左辺までとなる。
すなわち、小壁領域２７の幅Ｗ４（グリッド線２８間の距離）から開口領域２５の幅Ｗ１を引いた残りが、開口調整領域２６、２６の幅Ｗ２、Ｗ３の和となる。
また、左右の開口調整領域２６、２６の上辺及び下辺は、開口領域２５の上辺及び下辺と一致するものとされる。
【０１０７】
そして、上記処理を終了した場合には、上記開口領域２５の右側にさらに上記処理を行っていない残りの開口領域２５があるか否かを判定する（ステップＧ１３）。そして、残りの開口領域２５がある場合には、ステップＧ１に進む。また、残りの開口領域２５が無い場合には、内壁開口調整領域生成処理を終了する。
【０１０８】
以下に、上記外壁開口調整領域生成処理について図３６のフローチャートを参照して詳細に説明する。
まず、上記処理により読み込まれた壁領域１２内の開口領域２５のデータを順次左側から読み込む（ステップＨ１）。
【０１０９】
次に、開口領域２５の左右に所定幅の開口調整領域２６、２６を設定する（ステップＨ２）。なお、この開口調整領域２６、２６には、後述する小壁領域２７の小壁パネルを支持する支持部材が配置されるので、支持部材の基本的な幅を開口調整領域２６、２６の所定幅とする。また、後述するように支持部材の幅は状況により変更することができる。
【０１１０】
また、開口調整領域２６、２６の上辺と下辺の高さは、開口領域２５の上辺と下辺の高さに合わせる。
次に、上述のように所定幅で形成された左右の開口調整領域２６、２６の外側の側縁、すなわち、開口領域２５の反対側の側縁の位置を求める（ステップＨ３）。
なお、上述のように開口領域２５の両側縁がグリッド線２８からずれている場合には、開口調整領域２６を設ける際に、その幅を単純に所定幅としてしまった場合に、上述のように規格外のパネルを用いる必要がでてくる。
【０１１１】
そこで、開口領域２５の上記グリッド線２８に対するずれを開口調整領域２６、２６を用いて調整するために、次に開口領域２５の左側の開口調整領域２６の外側の側縁、すなわち、左辺が壁領域１２に直交するグリッド線２８の位置と一致するか否かを判定する（ステップＨ４）。
そして、一致する場合は、左側の開口調整領域２６において、調整処理を必要としないので、ステップＨ６に進む。
また、一致しない場合には、上記左側の開口調整領域２６の左辺を左方にずらすことにより、開口調整領域２６の左辺とグリッド線２８とを一致させる（ステップＨ５）。
【０１１２】
次に、上記開口領域２５の右側の開口調整領域２６の外側側縁、すなわち、右辺が壁領域１２に直交するグリッド線２８の位置と一致するか否かを判定する（ステップＨ６）。
そして、一致する場合は、右側の開口調整領域２６に対する調整処理を必要としないので、ステップＨ１３に進む。ここで、基本的には、上記右側の開口調整領域２６の右辺を右方に移動することになるが、右辺を右に移動した場合に、上記開口領域２５のさらに右側にある開口領域２５の開口調整領域２５に重複したり、壁領域１２の右側縁を越える可能性がある。
【０１１３】
そこで、上記右辺が上記グリッド線２８の位置に一致しない場合には、上記右側の開口調整領域２６の更に右側に開口領域２５が有り、該開口領域２５の左側に設定されるべき所定幅の開口調整領域２６の左辺を越えなければ、上記右辺をグリッド線２８に一致させることができないかどうかを判定する（ステップＨ７）。
【０１１４】
そして、上記右辺をグリッド線２８に一致させると右側の開口領域２５の開口調整領域２６の左辺を越えてしまう場合には、上記右辺を右側の開口調整領域２６の左辺と一致させる（ステップＨ８）。
すなわち、上記右側の開口調整領域２６と該開口調整領域２６のさらに右側にある開口領域２５の左側の開口調整領域２６とを隣接して配置させる。
【０１１５】
この場合には、開口調整領域２６同士の間に壁パネルが割り付けられることがないので、開口調整領域２６の側縁が壁領域１２に直交するグリッド線２８に一致しなくとも、基準単位長さに基づかない規定外の壁パネルが用いられることがない。
また、開口調整領域２６の長さにより小壁パネルの長さが決まり、開口調整領域２６の側縁が上記壁領域１２に直交するグリッド線２８と一致しない場合には、やはり、基準単位長さに基づかない規定外の小壁パネルが必要となるが、例えば、隣接する小壁領域２７、２７同士を合成することにより、規定外の小壁パネルを用いる可能性を最小限のものとすることができる。
【０１１６】
そして、上述のように右側の開口調整領域２６の右辺を決定した場合には、さらに右側にある開口領域２５の左側の開口調整領域２６の左辺の位置も決定されてしまうので、後述するように、順次左側の開口領域２５から開口調整領域２６データを読み込み上記処理を行う際に、上記左辺の処理を必要としないので、次の右側の開口領域２５のデータを読み込む（ステップＨ９）とともに、読み込まれた開口領域２５の左右に所定幅の開口調整領域２６、２６を生成し、さらに、左側の開口調整領域２６を確定し、上記左辺の処理を飛ばして、ステップＨ６に進む。
【０１１７】
また、上記ステップＨ７において、右側の開口調整領域２６の右辺がさらに右側の開口領域２５に所定幅で設定されるべき開口調整領域２６の左辺を越えない場合には、次に、上記右側の開口調整領域２６の右辺が壁領域１２の右側縁を越えなければ、壁領域１２に直交するグリッド線２８と上記右辺を一致できないかどうかを判定する（ステップＨ１０）。
【０１１８】
そして、上記右側の開口調整領域２６の右辺を右方に移動してグリッド線２８と一致させた場合に、上記右辺が壁領域の右側縁を越える場合には、上記右側の開口調整領域２６の右辺を壁領域１２の右側縁に一致させる（ステップＨ１１）。
この場合には、開口調整領域２６の右辺で壁領域１２が終わってしまうので、右辺とグリッド線が一致していなくとも壁領域１２内の壁パネルに上記規定外の壁パネルを用いる必要がない。
また、順次開口領域２５を壁領域１２の左側から読み込んだ場合に、開口調整領域２６の上記右辺が、壁領域１２の右端に達した場合には、上記壁領域１２に残りの開口領域２５が無いことになるので処理を終了する。
【０１１９】
また、上記右側の開口調整領域２６の右辺をグリッド線２８と一致するまで、移動しても壁領域１２の右側縁を越えない場合には、上記右辺を右方に移動して上記右辺とグリッド線２８とを一致させる（ステップＨ１２）。
以上のように処理した場合には、基本的に、図３７に示すように、開口領域２５の左側の開口調整領域２６の左辺がグリッド線２８と一致し、右側の開口調整領域２６の右辺が同じくグリッド線２８と一致することになり、開口領域２５の左右の壁領域１２内には、グリッド線２８からグリッド２８線までの距離が空き、また、開口領域２５とその左右の開口調整領域２６、２６とを合わせた幅もグリッド線２８からグリッド線２８までの距離となる。
従って、壁パネル、小壁パネル、腰壁パネルの幅は、基本的に基準単位長さの整数倍となる。
【０１２０】
そして、上記開口領域２５に対応する左右の開口調整領域２６、２６において上記処理を終了した場合には、上記開口領域２５の右側にさらに上記処理を行っていない残りの開口領域２５があるか否かを判定する（ステップＨ１３）。そして、残りの開口領域２５がある場合には、ステップＨ３に進む。また、残りの開口領域２５が無い場合には、外壁開口調整領域生成処理を終了する。
【０１２１】
次に、小壁、腰壁領域生成処理を図３８のフローチャートを参照して説明する。
まず、上記壁領域１２内の開口領域２５及び上記処理により求められた上記開口領域２５に対応する（左右に接する）開口調整領域２６、２６のデータを読み込む（ステップＩ１）。
【０１２２】
次に、上記壁領域１２が外壁か内壁かを判定する（ステップＩ２）。
そして、上記壁領域１２が内壁の場合には、上述のように小壁領域２７の左右両側縁、すなわち、左辺及び右辺の位置が決められているので、腰壁領域２９の右辺及び左辺の位置を、上記小壁領域２７の左辺及び右辺の位置に合わせる（ステップＩ３）。
また、上記壁領域が外壁の場合には、小壁、腰壁領域２７、２９の幅は、開口領域２５の幅とその左右の開口調整領域２６、２６の幅とを合わせた長さとなり、小壁、腰壁領域２７、２９の右辺及び左辺は、右側の開口調整領域２６の右辺及び左側の開口調整領域２６の左辺と一致させる（ステップＩ４）。
【０１２３】
次に壁領域１２が、図３９に示すように矩形状の領域か、図４０に示すように上辺に斜辺を有する屋切りの領域かを判定する（ステップＩ５）。
そして、壁領域１２が矩形の場合には、小壁領域２７の上辺の高さｈ１を、壁領域１２の高さとする（ステップＩ６）。また、壁領域１２が屋切りの場合には、予め設定された壁領域下辺から一枚目の壁パネルの高さを小壁領域２７の上辺の高さｈ’１とする（ステップＩ７）。
【０１２４】
また、小壁領域２７の下辺の高さｈ２は、開口領域２５の上辺の高さと一致するものとされる（ステップＩ８）。また、腰壁領域２９の上辺の高さｈ３は、開口領域２５の下辺の高さと一致するものとされる（ステップＩ９）。さらに、腰壁領域２９の下辺の高さｈ４は、壁領域１２の下辺の高さと一致するものとされる（ステップＩ１０）。
【０１２５】
次に上記壁領域１２に上記処理を行っていない残りの開口領域２５が有るか否かを判定する（ステップＩ１１）。そして、残りの開口領域２５がある場合には、ステップＩ１に戻る。また、残りの開口領域２５が無い場合には、小壁・腰壁領域生成処理を終了する。
【０１２６】
以上のように、この実施例の設計支援装置は、壁パネルを割り付けるべき壁領域１２において、壁パネルを割り付ける際に、壁の強度の確保及び生産性の向上を図ることができるように、上記壁領域１２を複数の分割領域に分割することができる。
【０１２７】
特に、壁領域１２の開口領域２５の左右に開口調整領域２６、２６を設け、上記開口領域２５及び開口調整領域２６、２６上に渡って小壁領域２７を設けるようにすることで、小壁領域２７の端部が開口調整領域２６、２６上に架かることになる。
従って、小壁領域２７に小壁パネルを割り付け、開口調整領域２６、２６に支持部材を割り付けるようにした場合に、単に小壁パネルの両側縁を開口領域２５の左右両サイドの壁パネルに接合した場合よりも、強固な構造とすることができる。
【０１２８】
すなわち、上述のように開口領域２５の周囲に開口調整領域２６、２６と小壁領域２７とを設けることにより、壁領域１２へ壁パネルを自動的に割り付ける際に、壁の開口部周囲において、壁の強度を確保することができる。
【０１２９】
また、建具が割り付けられる開口部においては、建具の形状が必ずしも、上記基準単位長さに基づいたものとならないが、上記開口調整領域２６、２６の幅を調整して、開口領域２５及び開口調整領域２６、２６を合わせた領域が、グリッド線２８、２８間にちょうど納まるようにすることで、開口領域２５の左右両サイドにおいて、基準単位長さに基づいた壁パネルを用いることができ、また、基本的に小壁パネル及び、腰壁パネルもその幅が、上記基準単位長さに基づいたものを用いることができる。
【０１３０】
従って、壁パネルや小壁パネルや腰壁パネルを製造する際に、予め決められた規格外のパネルを生産する可能性が低く、パネルの生産性を向上することができる。
また、住宅の施工現場において、上記グリッド線２８に基づいていない部分を現場施工によりカバーしなければならなくなる可能性が低く、住宅の建築においても生産性を向上することができる。
【０１３１】
また、この実施例においては、上記開口調整領域２６を生成する際に、上記開口領域２５が外壁の壁領域１２に設けられるものか、内壁の壁領域１２に設けられるかにより処理を変更している。
すなわち、内壁は、外壁に比較して負荷が少ないので、必ずしも、小壁パネルを支持する支持部材が無くとも、小壁パネルの両側縁を隣接する壁パネルの両側縁に接合することにより、充分な強度を得ることができる。
【０１３２】
従って、内壁においては、開口調整領域２６に配置される部材を支持部材ではなく調整部材として扱うものとなっている。
すなわち、内壁の開口領域２５においては、開口領域２５の両側縁と同じ位置に両側縁を有する小壁領域２７を仮設定し、次いで、上記小壁領域２７の両側縁をそれぞれ左右外側に移動してグリッド線２８に合わせ、移動後の小壁領域２７の左右側縁と開口領域２５の左右側縁との間を開口調整領域２６としている。
【０１３３】
そして、上述のように仮設定された小壁領域２７の左右側縁とグリッド線２８がはじめから一致してしまった場合には、開口調整領域２６が設けられない可能性がある。
すなわち、調整の必要がなければ、開口調整領域２６を削除することにより、施工性を向上できるようになっている。
また、仮設定された小壁領域２７の左右側縁とグリッド線２８との距離が近ければ、僅かな幅を有する開口調整領域２６が設けられることになるが、上述のように、開口調整領域２６に配置される部材を小壁パネルを支持する部材ではなく、開口領域２５の幅を調整する部材とみなしているので、不必要に幅の長い開口調整領域２６が生成されることがない。
【０１３４】
また、外壁においては、開口調整領域２６に配置される部材を小壁パネルを支持する部材とみなしているので、小壁パネルを支持するのに最低限必要な開口調整領域２６の幅を設定しておくようになっている。
すなわち、所定幅の開口調整領域２６を開口領域２５に仮に設けてから、開口調整領域２６の幅を広げるようにして、開口調整領域２６の開口領域２５と反対側の側縁をグリッド線２８に合わせるようになっている。
【０１３５】
従って、開口調整領域２８において、最低限必要な幅を確保することができるとともに、開口領域２５の幅をグリッド線に対応することができるようになっている。
以上のように、この実施例においては、外壁に比較して負荷の小さい内壁に余分に大きな開口調整領域２６が配置され、開口調整領域２６に割り付ける部材の施工の手間が増えるのを防止するとともに、内壁に比較して負荷の大きい外壁においては、確実に小壁パネルを支持できる開口調整領域２６の幅を確保するとともに、開口領域２５の幅を上記グリッド線２８に対応させることができる。
【０１３６】
そして、上述のように形成された開口調整領域２６、小壁領域２７、腰壁領域２９にそれぞれの位置に必要な一体の部材を割り付けることにより、開口部周囲の強度を保った状態で部材を割り付けることが可能となり、残りの壁領域に順次所定強度の壁パネルを割り付けることにより、容易に壁パネルを割り付けることができる。
なお、上記実施例において、フローチャートにより示された工程は、本発明の一例であって、上述のように開口調整領域及び小壁領域を壁領域上に生成できれば、工程の順番や、工程の内容を変更してもかまわない。
【０１３７】
【発明の効果】
上記請求項１記載の壁パネルの割付方法によれば、壁パネルを全体が略均質なボードではなく、例えば、枠体と該枠体の両面もしくは一面に面材を貼設した箱状のものとした場合には、壁のＬ字状（角部）、Ｔ字状、十字状の交点でこれらの壁パネルを接合する際に、壁パネルの枠体すなわち芯材が存在する部分で互いに接合することが強度上好ましいが、壁線を壁線の角部及び交点で分割することにより、壁のＬ字状、Ｔ字状、十字状の交点に壁線の端部が配置されるとともに、壁パネルの側縁が配置されることになり、角部及び交点において、施工上及び強度上好まし壁パネルの割付を容易に行うことが可能となる。
【０１３８】
壁線により設定された壁パネルを割り付けるべき領域の左右範囲と壁の上下位置を規制する屋根や床の配置に基づいた壁の上下範囲とから壁領域を設定することにより、壁パネルを割り付ける際には、壁の周囲の構造を考慮することなく、予め設定された壁領域を壁パネルで埋め尽くすように壁パネルを割り付けるだけで良いので、壁パネルの割り付けを効率化することができる。
【０１３９】
また、壁領域には、上記開口部に対応した開口領域が設定されるとともに、該開口領域上に開口領域上の荷重を支持する部材が配置される小壁領域が設定されることになる。
従って、上記開口領域上に小壁領域を設定することにより、壁領域に壁パネルを割り付ける前に、開口領域上の荷重を支持する部材を配置する領域を確保することができる。
【０１４０】
すなわち、壁に開口部があっても、小壁領域を予め設定することにより、壁パネルの割付方により、強度的な問題が生じるのを防止することが可能となる。
また、住宅の屋根、壁、床等の各構成部分の平面配置を基準単位長さ毎に縦横に引かれたグリッド線に従ったものとすることにより、設計及び部材の割り付けを容易なものとするとともに、上記小壁領域の左右の側縁をグリッド線に対応させることにより、開口領域の左右側縁がグリッド線に対応していなくとも、小壁領域をグリッド線に対応させ、小壁領域の左右に配置される壁パネルをグリッド線に対応して割り付けることができ、開口領域周囲への壁パネルの割り付けを容易なものとすることができる。
また、上述のように小壁領域の左右側縁をグリッド線に対応させるとともに、開口領域の周囲に開口調整領域を設け、開口領域の幅と小壁領域の幅のずれを開口調整領域に吸収させることができる。
また、開口調整領域に小壁領域の左右側縁部を支持する支持部材を配置させることにより、小壁領域に配置された梁状部材の左右側縁を、単にその左右に配置される壁パネルに接合することにより支持させるようにした場合に比較して、強度を向上することができる。
【０１４１】
また、上記開口調整領域を生成する際に、上記開口領域が外壁の壁領域に設けられるものか、内壁の壁領域に設けられるかにより処理を変更している。すなわち、内壁は、外壁に比較して負荷が少ないので、必ずしも、小壁パネルを支持する支持部材が無くとも、小壁パネルの両側縁に隣接する壁パネルの側縁に接合することにより、充分な強度を得ることができる。
従って、内壁においては、開口調整領域に配置される部材を支持部材ではなく調整部材として扱うものとなっている。すなわち、内壁の開口領域においては、開口領域の両側縁と同じ位置に両側縁を有する小壁領域を設定し、次いで、上記小壁領域の両側縁をそれぞれ左右外側に移動してグリッド線に合わせ、移動後の小壁領域の左右側縁と開口領域の左右側縁との間を開口調整領域としている。
そして、上述のように仮設定された小壁領域の左右側縁とグリッド線がはじめから一致してしまった場合には、開口調整領域が設けられない可能性がある。すなわち、調整の必要がなければ、開口調整領域を削除することにより、施工性を向上できるようになっている。また、仮設定された小壁領域の左右側縁とグリッド線との距離が近ければ、僅かな幅を有する開口調整領域が設けられることになるが、上述のように、開口調整領域に配置される部材を小壁パネルを支持する部材ではなく、開口領域の幅を調整する部材とみなしているので、不必要に幅の長い開口調整領域が生成されることがない。
また、外壁においては、開口調整領域に配置される部材を小壁パネルを支持する部材とみなしているので、小壁パネルを支持するのに最低限必要な開口調整領域の幅を設定しておくようになっている。すなわち、所定幅の開口調整領域を仮に設けてから、開口調整領域の幅を広げるようにして、開口調整領域の開口領域と反対側の側縁をグリッド線に合わせるようになっている。
従って、開口調整領域において、最低限必要な幅を確保することができるとともに、開口領域の幅をグリッド線に対応することができるようになっている。以上のように、外壁に比較して負荷の小さい内壁に余分に大きな開口調整領域が配置され、開口調整領域に割り付ける部材の施工の手間が増えるのを防止するとともに、内壁に比較して負荷の大きい外壁においては、確実に小壁パネルを支持できる開口調整領域の幅を確保するとともに、開口領域の幅を上記グリッド線に対応させることができる。
【０１４２】
また、本発明の上記請求項２記載の構成によれば、壁を屋根裏面まで達する構成とした場合に、主に屋根の形状により複雑化する壁の形状を、屋根の裏面に対応した壁の上辺の形状に基づいて分割することにより、壁の形状を単純化し、パネルの割付を容易にすることができる。
【０１４３】
また、本発明の上記請求項３記載の構成によれば、開口領域の下に腰壁領域を配置することにより、開口領域の周囲が小壁領域、開口調整領域、腰壁領域に囲まれた状態となり、各領域にそれぞれ一体の部材を配置するようにすることで、開口領域周囲の割り付けを壁領域への壁パネルの割り付け前に、決定することができる。
【０１４４】
すなわち、壁領域全体に壁パネルを割り付ける前に、壁の開口部における強度を確定することが可能となっており、残りの壁領域に壁パネルをそのサイズに基づいて割り付けるようにした場合に、開口部における強度不足が発生するのを防止することができる。
【図面の簡単な説明】
【図１】本発明の一実施例の壁パネルの割付方法を用いる設計支援装置を説明するためのブロック図である。
【図２】上記実施例の壁パネルの割付方法に用いられる壁線の配置を説明するための図面である。
【図３】上記壁パネルの割付方法における端部の取り合いの勝ち負けの決め方を説明するためのフローチャートである。
【図４】上記端部の取り合いの勝ち負けの決め方を説明するためのフローチャートである。
【図５】上記壁線の配置の一例を示す図面である。
【図６】上記壁パネルの割付方法における端部の取り合いの勝ち負けの優先順位を説明するための図面である。
【図７】上記優先順位を説明するための図面である。
【図８】上記優先順位の効果を説明するための外壁角部の平面図及び側面図である。
【図９】上記優先順位の効果を説明するための外壁角部の平面図及び側面図である。
【図１０】上記優先順位の効果を説明するための外壁角部の平面図及び側面図である。
【図１１】上記優先順位の効果を説明するための外壁角部の平面図及び側面図である。
【図１２】上記優先順位を説明するための図面である。
【図１３】上記優先順位を説明するための図面である。
【図１４】上記優先順位を説明するための図面である。
【図１５】上記壁パネルの割付方法における端部長さの調整方法を説明するための図面である。
【図１６】上記壁パネルの割付方法における壁線の再結合を説明するための図面である。
【図１７】上記壁パネルの割付方法における壁領域の生成方法を説明するためのフローチャートである。
【図１８】上記壁領域の生成方法を説明するための図面である。
【図１９】上記壁領域の生成方法を説明するための図面である。
【図２０】上記壁領域の生成方法を説明するための図面である。
【図２１】上記壁領域の生成方法を説明するための図面である。
【図２２】上記壁領域の生成方法を説明するための図面である。
【図２３】上記壁領域の生成方法を説明するための図面である。
【図２４】上記壁領域の生成方法を説明するための図面である。
【図２５】上記壁領域の生成方法を説明するための図面である。
【図２６】上記壁領域の生成方法を説明するための図面である。
【図２７】上記壁領域の生成方法を説明するための図面である。
【図２８】上記壁領域の生成方法を説明するための図面である。
【図２９】上記壁領域の生成方法を説明するための図面である。
【図３０】上記壁パネルの割付方法における壁領域分割処理を説明するためのフローチャートである。
【図３１】上記壁領域分割処理を説明するための図面である。
【図３２】上記壁パネルの割付方法における壁領域内領域生成方法の概略を説明するためのフローチャートである。
【図３３】上記壁パネルの割付方法における内壁開口調整領域生成処理を説明するためのフローチャートである。
【図３４】上記内壁開口調整領域生成処理を説明するための図面である。
【図３５】上記内壁開口調整領域生成処理を説明するための図面である。
【図３６】上記壁パネルの割付方法における外壁開口調整領域生成処理を説明するためのフローチャートである。
【図３７】上記外壁開口調整領域生成処理を説明するための図面である。
【図３８】上記壁パネルの割付方法における小壁・腰壁領域生成処理を説明するためのフローチャートである。
【図３９】上記小壁・腰壁領域生成処理を説明するための図面である。
【図４０】上記小壁・腰壁領域生成処理を説明するための図面である。
【符号の説明】
１０    壁線
１２    壁領域
１３    交点
２５    開口領域
２６    開口調整領域
２７    小壁領域
２８    グリッド線
【図１】
0003622794.tif 000002
【図２】
0003622794.tif 000003
【図３】
0003622794.tif 000004
【図４】
0003622794.tif 000005
【図５】
0003622794.tif 000006
【図６】
0003622794.tif 000007
【図７】
0003622794.tif 000008
【図８】
0003622794.tif 000009
【図９】
0003622794.tif 000010
【図１０】
0003622794.tif 000011
【図１１】
0003622794.tif 000012
【図１２】
0003622794.tif 000013
【図１３】
0003622794.tif 000014
【図１４】
0003622794.tif 000015
【図１５】
0003622794.tif 000016
【図１６】
0003622794.tif 000017
【図１７】
0003622794.tif 000018
【図１８】
0003622794.tif 000019
【図１９】
0003622794.tif 000020
【図２０】
0003622794.tif 000021
【図２１】
0003622794.tif 000022
【図２２】
0003622794.tif 000023
【図２３】
0003622794.tif 000024
【図２４】
0003622794.tif 000025
【図２５】
0003622794.tif 000026
【図２６】
0003622794.tif 000027
【図２７】
0003622794.tif 000028
【図２８】
0003622794.tif 000029
【図２９】
0003622794.tif 000030
【図３０】
0003622794.tif 000031
【図３１】
0003622794.tif 000032
【図３２】
0003622794.tif 000033
【図３３】
0003622794.tif 000034
【図３４】
0003622794.tif 000035
【図３５】
0003622794.tif 000036
【図３６】
0003622794.tif 000037
【図３７】
0003622794.tif 000038
【図３８】
0003622794.tif 000039
【図３９】
0003622794.tif 000040
【図４０】
0003622794.tif 000041